(57)【要約】【課題】  設定変更を利用して多用な遊技状態を作り出す。【解決手段】  メイン制御基板を有する遊技機であって、前記メイン制御基板は、少なくとも遊技ごとに実施される抽せん処理を実施するとともに、前記抽せん処理結果に基づいた、少なくとも３つの遊技状態間の状態遷移制御を行うものであり、前記遊技状態には、設定変更後に移行する第１の一般遊技状態と、第１の一般遊技状態からボーナス入賞によって移行する特別遊技状態と、前記特別遊技状態が終了した場合に移行する第１の一般遊技状態とは異なる第２の一般遊技状態とが含まれ、前記遊技機が設定変更された際、遊技状態が第１の一般遊技状態である場合には、前記遊技状態が第１の一般遊技状態と異なる場合とは異なる条件設定がなされている。【選択図】  図６
2020103699.tif 000002
【特許請求の範囲】
【請求項１】
メイン制御基板を有する遊技機であって、
前記メイン制御基板は、少なくとも遊技ごとに実施される抽せん処理を実施するとともに、前記抽せん処理結果に基づいた、少なくとも３つの遊技状態間の状態遷移制御を行うものであり、
前記遊技状態には、設定変更後に移行する第１の一般遊技状態と、第１の一般遊技状態からボーナス入賞によって移行する特別遊技状態と、前記特別遊技状態が終了した場合に移行する第１の一般遊技状態とは異なる第２の一般遊技状態とが含まれ、
前記遊技機が設定変更された際、
遊技状態が第１の一般遊技状態である場合には、前記遊技状態が第１の一般遊技状態と異なる場合とは異なる条件設定がなされている
ことを特徴とする遊技機。
【請求項２】
前記異なる条件設定は、遊技者にとって有利な条件設定である
ことを特徴とする請求項１に記載の遊技機。
【請求項３】
前記異なる条件設定は、遊技者にとって不利な条件設定である
ことを特徴とする請求項１に記載の遊技機。
【請求項４】
前記有利な条件設定は、第１の一般遊技状態からのみ移行しうる遊技状態を有する
ことを特徴とする請求項１に記載の遊技機。
【発明の詳細な説明】
【技術分野】
【０００１】
本発明は、広く遊技機の制御技術に関し、より詳細には、回胴装置を備えるスロットマシン等の遊技機における遊技制御あるいは遊技状態制御技術に関する。
【背景技術】
【０００２】
従来、回胴式遊技機（スロットマシン）等の遊技機（以下、「遊技機」と総称する）においては、遊技中にレア役を引き当ててレア役図柄を成立させたことによる高確率遊技モードへの移行、大当たりを引き当てて大当たり図柄を成立させたことによるボーナスゲームへの移行、あるいは、所定ゲームを行うか所定の払い出しを受けるなどしてボーナスゲームを消化したことによる通常ゲームへの移行など、遊技中の所定の契機により遊技状態を変化させ遊技に対する興趣を向上させ、さらには、押し順ナビやＡＴ、ＡＲＴといったナビゲーション制御によって遊技の興趣を一層向上させるように多くの創意工夫がなされてきた。
また、遊技機の設定変更に伴って遊技状態を変更させる（あるいは維持する）等の制御についても、様々な工夫がなされている。
【０００３】
一方で、近年、大別して「通常区間」「有利区間」という２つの遊技状態区間を管理制御する新しいタイプの遊技機が広まりつつある。
【０００４】
その要旨を概説すると、通常区間は、指示機能（押し順ナビ等のナビゲーション機能）に関わる遊技を行わせることができない（つまり、許可しない）区間として位置付けられ、有利区間は、指示機能に関わる遊技を行わせることができる（つまり、許可する）区間として位置付けられる。
【０００５】
通常区間では、ナビ抽せんは行えないが、ビッグボーナス（ＢＢ）やレギュラーボーナス（ＲＢ）などのボーナス抽せんは行うことができ、併せて、有利区間への移行抽せんが行われる。通常区間から有利区間への移行抽せんの当せん確率は、ゼロである場合を除き１７５００分の１以上に設定される。
【０００６】
また、有利区間では押し順ナビが行われるほか、当区間の少なくとも一部をチャンスゾーン（ＣＺ）に設定したり、当区間においてＡＲＴ抽せんやボーナス（ＢＢ、ＲＢ）抽せんを実施したり、あるいは、１３枚や１４枚といった一定枚数を超える払い出しで終了するプチボーナスないしミニボーナスとして位置づけられる第二種特別役物の連続作動装置（ミドルボーナスＭＢ、チャレンジボーナスＣＢ）に対する抽せん等を実施することができる（逆に、これらを一部又は全部を実施しないという選択枝もある）。
【０００７】
ここで、ＡＲＴ抽せんとは、特定役図柄を入賞させることをアシストする有利状態を発生させるための抽せんということができる。
また、ＭＢ（ミドルボーナス）とは、特定の出目入賞で発生ないし作動し、次のゲーム（遊技）では必ず（あるいは高確率で）何らかの小役が入賞する、通常のボーナスゲームと比較すると払い出しの少ないミニボーナスゲームである。典型的には、遊技媒体等の規定枚数の払い出しによって終了する（あるいは、ボーナス成立で終了する場合もある）。あるいは、特定役成立によって作動し規定枚数の払い出し又はボーナス役成立によって終了する有利状態ということもできる。
ＣＢ（チャレンジボーナス）もＭＢと同種のミニボーナスである。
【０００８】
また、有利区間中におけるＡＲＴ抽せん、ＡＲＴ関連のモード移行抽せん、上乗せ抽せん（例えば、ＡＲＴに関わる抽せん）には、いわゆる全設定共通のくじによる抽せんが行われる他、設定差のあるくじによる抽せんも行うこともできる。さらに、当区間には継続可能なゲーム数の上限（一例として、１５００Ｇ）や差枚数ＭＹ（一例として、２４００枚）が設定されるほか、当区間の終了条件としては、かかるゲーム数や差枚数ＭＹの上限（リミッター）の他、一部の制約を除く任意の条件を採用することができる。そして、有利区間が終了すると指示機能に関わるフラグ等は全てリセットされるものとされている。
【０００９】
このような新しいタイプの遊技機においても、遊技の興趣を向上させるように工夫がなされている。例えば、有利区間終了時ごとに、通常区間から有利区間への移行しやすさを同一にし、有利区間終了時と設定変更時とで、通常区間から有利区間への移行しやすさを同一にすることを課題とし、指示機能を作動させない通常区間と、指示機能を作動可能な有利区間とを有し、有利区間終了時の初期化処理では、有利区間に関する情報はクリアするが、ＲＴ状態は保持し、設定変更時の初期化処理では、有利区間に関する情報をクリアし、かつＲＴ状態もクリアするように制御されるスロットマシンが提案されている（特許文献１）。
【００１０】
すなわち、特許文献１には、ストップスイッチの有利な操作態様を有する遊技と、前記ストップスイッチの有利な操作態様を有する遊技において、前記有利な操作態様を表示する指示機能と、遊技区間のうち、指示機能を作動させない通常区間と、遊技区間のうち、指示機能を作動可能な有利区間と、有利区間に関する情報を記憶する第１記憶手段と、複数の設定値のうち、いずれかの設定値を定める手段と、設定値を記憶する第２記憶手段と、再遊技役の当選となる場合を有するように役の抽選を行う役抽選手段と、少なくとも１つの再遊技役の当選確率が異なる複数の抽選状態とを備え、有利区間が終了したときは、第１初期化処理を実行し、第２記憶手段に記憶されている設定値が変更されたときは、第２初期化処理を実行し、第１初期化処理では、有利区間終了時の抽選状態を維持したまま、通常区間に移行し、第２初期化処理では、予め定めた特定の抽選状態に移行し、かつ通常区間に移行し、第１初期化処理及び第２初期化処理では、第１記憶手段に記憶されている有利区間に関する情報をクリアすることにより、第１初期化処理が実行されたときと、第２初期化処理が実行されたときとで、有利区間に関する情報が同一の状態である通常区間に移行することを特徴とするスロットマシンが開示されている。
【先行技術文献】
【特許文献】
【００１１】
【特許文献１】特開２０１８−０５７４１６号公報
【発明の概要】
【発明が解決しようとする課題】
【００１２】
しかしながら、従来の遊技機では、設定変更を利用して多様な遊技状態を作り出すための遊技制御あるいは遊技状態制御に関する十分な工夫はいまだなされていない。
【００１３】
したがって、設定変更を利用して多用な遊技状態を作り出すための遊技制御あるいは遊技状態制御に関する更なる工夫が望まれる。
【課題を解決するための手段】
【００１４】
そこで、本発明の一実施形態にかかる遊技機は、メイン制御基板を有する遊技機であって、前記メイン制御基板は、少なくとも遊技ごとに実施される抽せん処理を実施するとともに、前記抽せん処理結果に基づいた、少なくとも３つの遊技状態間の状態遷移制御を行うものであり、前記遊技状態には、設定変更後に移行する第１の一般遊技状態と、第１の一般遊技状態からボーナス入賞によって移行する特別遊技状態と、前記特別遊技状態が終了した場合に移行する第１の一般遊技状態とは異なる第２の一般遊技状態とが含まれ、前記遊技機が設定変更された際、遊技状態が第１の一般遊技状態である場合には、前記遊技状態が第１の一般遊技状態と異なる場合とは異なる条件設定がなされていることを特徴とする。
【発明の効果】
【００１５】
本発明にかかる遊技機等によれば、設定変更を利用して多用な遊技状態を作り出すことができる。特に、設定変更に伴う独自の遊技状態を作り出すことにより、従来にない興趣ある遊技機を提供することができる。
【図面の簡単な説明】
【００１６】
【図１】本発明の一実施形態における遊技機の外観を説明する説明図である。
【図２】本発明の一実施形態における遊技機の外観を説明する説明図である。
【図３】本発明の一実施形態における遊技機の内部構造及び電源ボックスの様子を説明する説明図である。
【図４】本発明の一実施形態における遊技機の機能ブロックを説明する説明図である。
【図５】本発明の一実施形態における遊技機の遊技状態の制御例を説明する説明図である。
【図６】本発明の一実施形態における遊技機の遊技状態遷移例を説明する説明図である。
【図７】本発明の一実施形態における遊技機の回転リール図柄の配置例等を説明する説明図である。
【図８】本発明の他の実施形態における遊技機の遊技状態遷移例を説明する説明図である。
【図９】従来の遊技機の遊技状態遷移例を説明する説明図である。
【発明を実施するための形態】
【００１７】
本発明にかかる遊技機等を実施するための形態について、図面を参照しながら詳述する。なお、「回胴」を「回転リール」とも呼ぶこととする。
【００１８】
図１に、本発明の一実施形態における遊技機の外観を示す。図１（Ａ）は、遊技機の正面図であり、図１（Ｂ）は、遊技機の右側面図である。
【００１９】
図１（Ａ）及び（Ｂ）に示すように、遊技機１００は、その機構上大きく分けると、前面が開口した筐体１０１と、筐体１０１の開口面にヒンジ等によって開閉可能に取り付けられた前面扉１０２とを備えている。前面扉１０２の前面部分には、後述するように遊技者が遊技を行うためのボタン類や表示部等が配置されている。
【００２０】
遊技機１００の前面に位置する前面扉１０２の上部には、ディスプレイ部１０２１と、照明部と、スピーカ部とが配置されている。また、前面扉１０２の中段には、表示窓１０３が設けられている。遊技者は、この表示窓１０３から筐体１０１の内部に収納されている複数の回転リールの外周面を目視することができる。
【００２１】
回転リールは、より詳細には、それぞれが回転可能に設けられている第１回転リール１０４１と第２回転リール１０４２と第３回転リール１０４３とからなり、各リールの外周面には、所定の複数の図柄が付されている。遊技者は、表示窓１０３から第１回転リール１０４１、第２回転リール１０４２、及び第３回転リール１０４３の各外周面に付された縦３個の図柄を見ることができ、第１回転リールから第３回転リールまでの縦３個ずつ計９個の図柄を視認することができるようになっている。なお、表示窓１０３には、縦４個以上の図柄を見せるように構成することもできる。
【００２２】
前面扉１０２の中段に位置し、前面に突出して設けられた卓の上面には、遊技媒体（メダル）投入口１０５と、ＭＡＸＢＥＴボタン１０６と、ステータス表示部（図１において不図示）とが配置されている。
また、突起して設けられた卓の前面には、スタートレバー１０７、１ＢＥＴボタン１０８、精算ボタン１０９、第１回転リール停止ボタン１１０、第２回転リール停止ボタン１１１、第３回転リール停止ボタン１１２が配置されている。また、前面扉１０２の下部には、遊技媒体（メダル）の払出口を備えた遊技媒体（メダル）トレイ１１５が取り付けられている。
【００２３】
前面扉１０２の上部中央に配置されたディスプレイ部１０２１は、典型的には、液晶ディスプレイ（ＬＣＤ）であり、遊技者への画像等による演出を表示や情報提示等を行う。
また、ディスプレイ部１０２１の左右の任意の位置にスピーカ部と照明部とを備えることができる。ディスプレイ部１０２１、スピーカ部、及び照明部によって、遊技の演出効果を高めることができる。
【００２４】
筐体１０１内部に設けられている回転リールは、典型的には、上述の通り３個（第１回転リール１０４１、第２回転リール１０４２、第３回転リール１０４３）で構成され、リール状の形状に形成され、ステッピング（パルス）モータから成る回転リール駆動部により、それぞれ回動自在に配置されている。回動中の回転リールは、第１回転リール停止ボタン１１０、第２回転リール停止ボタン１１１、第３回転リール停止ボタン１１２の押下により、それぞれ独立して停止させることができる。また、各回転リール停止ボタンの内部には、ランプが内蔵されており、回胴停止ボタンの操作が可能な状態になると、内蔵されているランプが点灯する。また、回転リール停止ボタンが押下されたときには、ランプは消灯し（あるいは別の色に変わり）、回転リール停止ボタンの操作を受け付ないように構成されている。
【００２５】
なお、回転リールの数は、３個を超える構成（例えば、４個）としても良い。
【００２６】
第１回転リール１０４１、第２回転リール１０４２、及び第３回転リール１０４３の図柄を確認可能な表示窓には、遊技者が投入したメダルの枚数（ベット数）に応じて回転リールの図柄が有効となる並びである有効ラインが設定されている。なお、メダルの枚数（ベット数）はＭＡＸ（例えば、３枚）で固定され、このＭＡＸ値に対して有効ラインを固定的に設定するものとしても良い。
【００２７】
後述する抽せん処理により決定した成立役、及び、それに対応する回転リールの図柄の組み合わせは、予め規定されており、有効ライン上に所定の図柄の組み合わせが揃ったかを判断して、図柄の組み合わせが有効ライン上に揃ったときに入賞と判定される。
【００２８】
前面扉１０２の中段に位置し、突出して設けられた卓の上面に設けられているメダル投入口１０５は、遊技開始前に所定枚数のメダルを投入するためのものであり、メダル投入口１０５にメダルを投入するか、ＢＥＴボタン押下の後、スタートレバー１０７を操作すると、第１回転リール１０４１、第２回転リール１０４２、及び第３回転リール１０４３が回動し、遊技が開始されて抽せんが行われる。
【００２９】
１ＢＥＴボタン１０８は、遊技機１００内部に貯留しているメダル１枚を自動的に投入して、１枚のメダルを１回のゲームにベットするためのものである。１ＢＥＴボタン１０８を押下することにより、メダル投入口１０５からメダルを１枚投入する必要がなくなる。また、２枚のメダルをベットする場合には、１ＢＥＴボタン１０８を２回押下する。３枚のメダルを一度にベットする場合には、以下の、ＭＡＸＢＥＴボタン１０６を押下すると便利である。
【００３０】
ＭＡＸＢＥＴボタン１０６は、遊技機１００内部に貯留しているメダルを自動的に３枚投入して、３枚のメダルを１回のゲームに対してベットするためのものである。このＭＡＸＢＥＴボタン１０６により、メダル投入口１０５から３枚のメダルを投入したり、１ＢＥＴボタン１０８を３回押下したりする必要はなくなる。
【００３１】
精算ボタン１０９は、内部貯留（クレジット）されたメダルをメダル払出口からメダルトレイ１１５に払い出して精算するためのものである。
【００３２】
図２に、前面扉１０２の中段に位置し、前面に突出して設けられた卓の上面の外観を示す。図２（Ａ）は、卓の上面を含む遊技機１００の上面図であり、卓の上面にメダル投入口１０５とＭＡＸＢＥＴボタン１０６とステータス表示部２０１とが配置されている様子が分かる。
図２（Ｂ）は、卓の上面に配置されたステータス表示部２０１の拡大図である。
【００３３】
図２（Ｂ）において、ステータス表示部２０１は、メダルの枚数等を数字で表示する複数の７セグＬＥＤ、及び、遊技機１００の使用状態等を遊技者に知らせる各種ＬＥＤが設けられている。
【００３４】
メダルの投入枚数ＬＥＤ２０１１は、現時点でベットされているメダル数が表示される。一例として、１枚のメダルがベットされているときには、「１ＢＥＴ」ＬＥＤが点灯し、２枚目のメダルがベットされたときには、「２ＢＥＴ」ＬＥＤが更に点灯し、３枚目のメダルがベットされたときには、「３ＢＥＴ」ＬＥＤが更に点灯する。
【００３５】
投入可能ＬＥＤ２０１２は、現在メダルの投入が可能であることを示すＬＥＤである。ウエイトＬＥＤ２０１３は、現在メダルの投入ができないことを示すＬＥＤである。スタートＬＥＤ２０１４は、現在遊技が開始されていることを示すＬＥＤである。再遊技ＬＥＤ２０１５は、再遊技であることを示すＬＥＤである。
【００３６】
払出枚数表示７セグＬＥＤ１０１６は、入賞時の払出し枚数を表示する。一例として、実際にメダルが払い出されるたびに総払出し枚数から逆算して表示することができる。
【００３７】
貯留メダル数表示７セグＬＥＤ１０１７は、現在貯留中のメダルの枚数を表示するＬＥＤである。
【００３８】
図３に、本発明の一実施形態における遊技機の内部構造及び電源ボックスの様子を示す。本発明は、この構成に限定されるものではないが、図３（Ａ）に示す通り、遊技機１００の前面内部の電源ボックス３０１には、電源スイッチ３０１１の他に、当せん確率を変更する設定キー３０１２及びセレクトスイッチ３０１３が配置されている。
【００３９】
図３（Ｂ）は、図３（Ａ）の設定キー３０１２の拡大図である。設定キー３０１２は、シリンダー部３０１２ａと鍵穴部３０１２ｂとからなる。当せん確率の設定値を変更する場合には、まず、鍵穴部３０１２ｂに鍵（操作キー）を挿入してＯＦＦの位置からＯＮの位置へ回転させて設定変更状態にし、セレクトスイッチ３０１３を押下して設定値をインクリメントする。最高設定値の次は、再び最低設定値に戻る。一例として、６段階の設定値が用意されている遊技機の場合は、「１」→「２」→「３」→「４」→「５」→「６」→「１」→「２」→・・・というように変更する。なお、セレクトスイッチによって順次変更される設定値は、一例として、払出枚数表示７セグＬＥＤ１０１６に逐次表示させて確認できるように構成することができる。
また、このセレクトスイッチ３０１３は、設定変更不可状態（鍵穴が「ＯＦＦ」の位置にある状態）においては、遊技機に生じたエラー状態を解除するためのエラー解除スイッチとして機能させることもできる。
【００４０】
図４に、本発明の一実施形態における遊技機の機能ブロックを説明する。後述する遊技機１００の一連の特徴的動作は、以下に説明するハードウェアの個々の動作、及びこれらのハードウェアとソフトウェアとの協調動作によって実現されている。
【００４１】
遊技機は、一実施形態における制御構成として、配線（ハーネス）を介して接続されたメイン制御基板４１とサブ制御基板４２とからなり、筐体１０１内部に収納されている。
メイン制御基板４１は、一種のボードコンピュータであり、演算処理、遊技機１００のデバイス制御等を行うＣＰＵ４１１と、プログラムの作業領域としてデータの一時的な記憶等を行う書き換え可能なＲＡＭ４１２と、遊技機１００の制御プログラム及び遊技抽せん処理用の抽せんテーブル等を記憶したＲＯＭ４１３と、データ通信バス等の制御を行う制御部４１４と、ボタンやスイッチ等からの入力や各種ＬＥＤ等への出力、及び回転リールユニット等の駆動を行う入出力部４１５とを備えている。
【００４２】
メイン制御基板４１の主な機能は、抽せん処理、回転リールの制御、遊技ステータス（遊技状態）表示等を行うことであり、遊技機に関する規則及び規格等に基づいた処理動作を行うように設計されている。
【００４３】
サブ制御基板４２は、一種のボードコンピュータであり、演算処理、ディスプレイ部４８１の制御等を行うＣＰＵ４２１と、プログラムの作業領域としてデータの一時的な記憶等を行う書き換え可能なＲＡＭ４２２と、ディスプレイ部４８１、照明部４８２、スピーカ部４８３の制御を行うプログラム及び各種データを記憶したＲＯＭ４２３と、データ通信バス等の制御を行う制御部４２４と、照明等の駆動を行う入出力部４２５と、ディスプレイ部４８１の駆動を行うディスプレイ駆動部４２６と、スピーカ部４８３から音声や効果音等を発生させるための音源を格納した音源ＩＣ４２７とを備えている。
【００４４】
サブ制御基板４２の主な機能は、メイン制御基板で判定された抽せん結果に基づく演出等である。具体的には、サブ制御基板４２のＲＯＭ４２３には、ディスプレイ４８１、照明部４８２、及びスピーカ部４８３によって様々な演出を行うための画像データ等からなる演出データも格納されており、メイン制御基板４１から出力される信号によって、ＲＯＭ内部に格納されている演出データから演出内容を決定して、演出内容に基づいて、ディスプレイ部４８１、照明部４８２、及びスピーカ部４８３の駆動処理を行う。
【００４５】
上述したような、ディスプレイ部４８１、照明部４８２、及びスピーカ部４８３によってなされる演出は、コンピュータプログラムとしてＲＯＭ４２３等に記憶されており、ＣＰＵ４２１によって、適宜、ＲＡＭ４２２等へ呼び出され実行されることにより実現される。
【００４６】
次に、メイン制御基板４１の入出力系統について説明する。図４に示すように、まず、メイン制御基板４１は、入出力部４１５を介して、ＢＥＴボタン４５１（１ＢＥＴボタン及びＭＡＸＢＥＴボタンを含む）、精算ボタン４５２、スタートレバー４５３、第１回転リール停止ボタン４５４、第２回転リール停止ボタン４５５、第３回転リール停止ボタン４５６の押下を読み出し可能に構成されている。
【００４７】
また、メイン制御基板４１には、入出力部４１５を介して、ステータス表示部４６のウエイトＬＥＤ４６１、投入可能ＬＥＤ４６２、再遊技ＬＥＤ４６３、スタートＬＥＤ４６４、投入枚数ＬＥＤ４６５、払出枚数７セグＬＥＤ４６６、貯留メダル数７セグＬＥＤ４６７が接続されており、各種ＬＥＤの点灯制御、各表示器に出力するべき数字の表示制御を行うように構成されている。
【００４８】
また、セレクター部４５７は、図示しない投入センサとソレノイドとを含み、メダル投入口１０５内に設けられている投入センサからの信号を、入出力部４１５を介して読み出し、投入されたメダルの真贋等のチェックを行う。
また、セレクター部４５７のソレノイドは、例えば、規定枚数のメダルが投入されたとき、或いは、スタートレバー１０７が操作されたとき、メダルを投入しても、メダルが返却されるように作動してメダルが投入されないように機能する。
【００４９】
電源ボックス４７の設定キー４７１は、遊技中の抽せんにおける抽せんテーブルの各役の当せん確率に段階を設けて、設定毎の出玉率を変更する機能を有する。当せん確率の設定は、一例として６段階の設定が可能となっている。メイン制御基板４１は、入出力部４１５を介して設定キー４７１によって設定された設定値を管理することが可能となっている。より具体的には、設定キーをＯＮにすることでメイン制御基板が設定変更可能モードとなり、セレクトスイッチ４７２が押下されることによりメイン制御基板に押下された信号が送られ、メイン制御基板において管理されている設定値がインクリメント（又はデクリメント）される。電源ボックス４７のセレクトスイッチ４７２は、設定キー４７１によって設定可能（設定ＯＮ）状態にした場合に設定値を順送り（又は逆送り）に変更するためのスイッチであり、設定不可（ＯＦＦ）状態では、遊技機にエラー等が発生した場合にメイン制御基板４１のＣＰＵ４１１等の初期化を行うことができる。電源スイッチ４７３は、遊技機に電力を供給するためものである。
【００５０】
回転リールユニット４３は、第１回転リール１０４１、第２回転リール１０４２、及び第３回転リール１０４３をそれぞれ回転させるためのステッピングモータを備えた第１回転リール駆動部４３１、第２回転リール駆動部４３２、第３回転リール駆動部４３３を有し、各回転リールを独立して回転及び／又は停止するよう制御可能である。また、各回転リールの回転中の位置を検出するための第１回転リール位置センサ４３４、第２回転リール位置センサ４３５及び第３回転リール位置センサ４３６、並びに、それぞれのセンサに対応するインデックス（図４において不図示）が設けられている。
【００５１】
例えば、回転中の第１回転リールの所定の位置を第１回転リール位置センサ４３４で検出し、第１回転リール位置センサ４３４により検出した第１回転リールの所定の位置（インデックスの位置）からステッピングモータを駆動したパルス数をカウントすることにより、第１回リールの位置情報を取得ことができる。同様に、第２回転リール及び第３回転リールについても、第２回転リール位置センサ４３５及び第３回転リール位置センサ４３６によりそれぞれの回転リールの位置情報を得ることができる。
このようにして、後述する抽せん処理の結果に基づく図柄の表示を制御することができる。
【００５２】
ホッパーユニット４４は、入賞時にメダルを払い出すためのものであり、図示しないがホッパー駆動部と払出しセンサによって所定の枚数のメダルが払い出される。
【００５３】
この他、外部中継端子（図４において不図示）が設けられ、メイン制御基板４１と外部に設けられている遊技データを表示するためのデータランプ（図４において不図示）とを接続し、メイン制御基板４１からの信号をデータランプへ送信するための端子としての機能を果たす。
【００５４】
また、本発明の実施に必要なプログラムないしソフトウェアは、通常、ＲＯＭ４１３、４２３等のメモリにインストールないし格納され、プログラムないしソフトウェアの実行時には、必要に応じてＲＡＭ４１２、４２２等のメモリにその全部又は一部のソフトウェアモジュールとして読み出され、ＣＰＵ４１１、４２１において演算実行される。
【００５５】
なお、演算実行は必ずＣＰＵ等の中央処理部で行われる必要はなく、図示しないディジタルシグナルプロセッサ（ＤＳＰ）等の補助演算装置を採用することもできる。
【００５６】
［抽せん処理］
遊技機１００における抽せん処理は、一例として、スタートレバーの操作時にメイン制御基板４１のＲＯＭ４１３に格納されているプログラム及びテーブルに基づいて実行される。ＲＯＭ４１３には、抽せん処理プログラムの他、当せん確率テーブル、シンボルテーブルおよび入賞シンボル組合せテーブル等が格納されている。当せん確率テーブルは、乱数発生部（不図示）で発生させる乱数を区分して、各種当せん及び「当せんなし（外れ）」に対応付けられて記憶している。発生させた乱数データと当せん確率テーブル等とを参照することにより遊技に対する各種当せんあるいは外れが決定される。
【００５７】
このとき、抽せん処理の結果が外れの場合は、所定の図柄が揃わないように制御されたり、逆に、抽せん処理の結果が当せんの場合は、停止ボタンが所定のタイミングで押下されることなどを条件に所定の図柄が揃うように制御されたりする場合もある。これらの制御を、「スベリ制御」あるいは「引き込み制御」と呼ぶ。一例として、「停止ボタンを押下した後０．１９秒以内にリールを停止させること」といった規則がある場合には、リールの回転速度から逆算してスベリが可能となるコマ数（図柄の数）が決定される。そして、各種当せん後、所定の図柄が揃えば入賞図柄に相当するメダルが払い出される。
【００５８】
［本発明の基本概念（遊技状態の制御）］
本発明の一実施形態における遊技機は、上述のとおりの基本動作を行うが、図５を参照して、本発明の基本動作としての遊技状態の制御例を説明する。
【００５９】
図５に示されるように、本発明の一実施形態における遊技機の遊技状態（遊技ステータス）は、大別して通常区間５０２と有利区間５０１とを有し、遊技の進行によってこれらの遊技状態の制御が行われる。
以下では、通常区間５０２と有利区間５０１との遷移条件等について詳述する。
【００６０】
通常区間５０２は、指示機能（一例として、押し順ナビ等のナビゲーション機能）に関わる遊技を行わせることができない（つまり、許可しない）区間である。図１〜図４を参照して説明した本発明の一実施形態における遊技機の基本動作に沿って遊技が進められる。後述する遷移条件（１）が満たされると、遊技状態は有利区間へ遷移する。
通常区間５０２では、遊技（スタートレバー操作によるメイン基板での抽せん）によって小役やレア役やチャンス役を引き当てたりボーナスを引き当てたりすることができる。
【００６１】
ここで、ボーナスには、レギュラーボーナス（ＲＢ）やビッグボーナス（ＢＢ）などが含まれ、遊技機個体ごとに設定可能な設定値に応じた当せん確率を採用することができる。
【００６２】
有利区間５０１は、指示機能に関わる遊技を行わせることができる（つまり、許可する）区間である。そして、後述する遷移条件（２）が満たされるとこの有利区間５０１から通常区間５０２へ戻る。
有利区間５０１では、「ＡＴ（アシストタイム）」や「ＡＲＴ（アシストリプレイタイム）」等の指示機能に関わる遊技であって遊技者にとって有利な遊技の他、通常区間５０２と同様に「ＢＢ（ビックボーナス）」、「ＲＢ（レギュラーボーナス）」といった遊技者にとって有利な遊技を行わせることができる。
なお、本発明の一実施形態においては、有利区間５０１における遊技者にとって有利な遊技という意味で、「ＡＴ（アシストタイム）」や「ＡＲＴ（アシストリプレイタイム）」等の指示機能に関わる遊技であって遊技者にとって有利な遊技をボーナス遊技と位置付けることもできる。
かかるボーナス遊技では、遊技媒体の所定の払い出し枚数を払い出すなどの所定の条件をクリアするなどして終了する。
【００６３】
次に、図５における各遊技区間（遊技状態）相互間の遷移条件について、詳述する。
【００６４】
（遷移条件（１））
通常区間５０２から有利区間５０１へは、一例として、遊技ごとに実施される有利区間５０１への移行抽せんに当せんすると移行させるように制御することができる。
【００６５】
有利区間５０１への移行抽せんに当せんするケースには、特定のボーナスに当せんしたり、レア役を引き当てたりすることが挙げられる。レア役とは、「チェリー」役や「スイカ」役が所定の図柄組合せや位置等で停止することにより成立する成立役である。その図柄組合せ等によって、「弱スイカ」「強スイカ」等といったレア役がある。一例として、スタートレバー操作時にレア役に当せんさせ（必要に応じて、所定の図柄で停止させ）ることによって当せん役に応じた有利区間移行抽せんを行い当せんした場合、通常区間５０２から有利区間５０１へと移行させることができる。
【００６６】
（遷移条件（２））
有利区間５０１から通常区間５０２へは、一例として、予め定められた所定ゲーム数ＣＺ＿ＭＡＸ＿Ｇ（一例として、１５００Ｇ）の消化によって移行するように制御することができる。あるいは、差枚数ＭＹ（差枚数が最も減少した時点を基点した場合のこの基点からの差枚数をいう）が一例として２４００枚を超えた時点で通常区間５０２へ移行するよう制御することもできる。その他、有利区間５０１中に実施される指示機能に関わる遊技が出玉に影響する場合には、上記以外の任意の条件で通常区間５０２へ移行するように制御することもできる。
【００６７】
［本発明の特徴的制御］
次に、本発明の一実施形態にかかる遊技機における例示的な遊技状態遷移を取り上げ、図６を参照しながら具体的に説明する。図６は、本発明の一実施形態にかかる遊技機の遊技状態（ＲＴ０〜ＲＴ４）の状態遷移を例示している。本発明の一実施形態において、状態遷移６００は、遊技機の遊技状態をあらわすＲＴ０（ＳＴ６０２）〜ＲＴ４（ＳＴ６０６）までの各遊技状態を含む。一実施形態において、ＲＴ０（ＳＴ６０２）は一般中の遊技状態（通常遊技状態）、ＲＴ１（ＳＴ６０３）はＢＢ一般中の遊技状態、ＲＴ２（ＳＴ６０４）はＲＢ内部中の遊技状態、ＲＴ３（ＳＴ６０５）はＲＢ中の遊技状態であり（ＲＴ１〜ＲＴ３を総称してＢＢ中といもいう。）、ＲＴ４（ＳＴ６０６）は一般中の遊技状態（通常遊技状態）である。
なお、ＳＴ６０１は設定変更を行っている状態である。
【００６８】
本発明の一実施形態において、上記遊技状態の具体的な遊技上の契機としては、下表のとおりである。
【表１】
2020103699.tif 000003
ここで、ＲＢはレギュラーボーナス、ＢＢはビッグボーナスを指す。なお、各種ボーナスを第１ボーナス（役）、第２ボーナス（役）、第３ボーナス（役）等として、区別することもできる。
【００６９】
図６において、状態遷移の特徴は、次の点に表れている。
（１）ＲＴ０は、設定変更後のみの特有の状態であり、これ以外には存在しない（再び設定変更しない限り、ＢＢ作動が終了してもＲＴ０へ戻ることはない）。
（２）ＢＢが成立しても、ＲＴ状態は変動しない（ＲＴ０のままである）。
（３）ＲＴ４へ移行後にＢＢが成立した場合は、ＲＴ状態はＲＴ４のまま変動しない。
【００７０】
本発明の一実施形態においては、上記の状態遷移制御を踏まえ、設定変更後にのみ移行するＲＴ状態（ＲＴ０）を利用し、設定変更後にのみ存在する遊技状態を作り出すことができる。例えば、設定変更後の抽せんにつき、ＲＴ０であれば抽せんを優遇したり（相対的に他の遊技状態の場合よりも高確率にする）、反対に冷遇したりする（相対的に他の遊技状態の場合よりも低確率にする）ことができる。
なお、ここでの優遇とは、他の遊技状態におけるものとは異なる有利な条件設定等を行うことをいう。
【００７１】
本発明の理解のために、図９を参照して従来の遊技機の遊技状態遷移例を説明する。図９は、従来の遊技機の遊技状態（ＲＴ０〜ＲＴ４）の状態遷移を例示している。図９において、状態遷移９００は、遊技機の遊技状態をあらわすＲＴ０（ＳＴ９０２）〜ＲＴ４（ＳＴ９０６）までの各遊技状態を含み、各状態の位置づけは図６における各状態と同様である。
なお、ＳＴ９０１は設定変更を行っている状態である。
【００７２】
図９における、上記遊技状態の具体的な遊技上の契機としては、下表のとおりである。
【表２】
2020103699.tif 000004
ここで、ＲＢはレギュラーボーナス、ＢＢはビッグボーナスを指す。なお、各種ボーナスを第１ボーナス（役）、第２ボーナス（役）、第３ボーナス（役）等として、区別することもできる。
【００７３】
図９に示されるように、従来の遊技機における状態遷移は、ＢＢ作動が終了するとＲＴ０へ復帰する。また、どのＲＴ状態も通常遊技で移行する可能性がある。この結果、設定変更後（あるいは、直後）の状態を判定することは不可能である。
【００７４】
［想定される実機例］
本発明はこれに限定されるものではないが、本発明の一実施形態にかかる遊技機においては、次のような遊技仕様が採用される。少なくとも、これらの仕様を満たす遊技機は本発明の一実施形態における所定の効果を奏する。
【００７５】
（１）通常区間と有利区間中を備えた仕様において、有利区間中にＡＴ抽せんを行わせるように制御する。
（２）上記（１）において、ＢＢを入賞させて遊技を進行させるＡＴ機とする。
（３）有利区間移行確率は、略１（１００％）に設定される。
（４）有利区間移行時にＲＴ情報を参照して指示抽せんに係る処理や抽せんを実施する。
（５）設定変更後は、ＢＢ情報ならびにＲＴ情報をリセットし、遊技状態をＲＴ０へ移行させる。
（６）ＢＢ作動終了後の専用のＲＴ状態を確保する（図６におけるＲＴ４）。
（７）遊技中は、ＲＴ状態を参照して、例えば、設定変更直後の状態（ＲＴ０）とその他の状態とで、有利区間移行後の挙動を変化させるように制御する。
（８）上記（１）〜（７）の制御を通じて、ＢＢ内部中ＲＴ状態を廃止する。これにより、設定変更後１ゲーム目にＢＢが成立してしまった場合にＲＴ０状態を参照できなくなること（有利区間移行の前にＲＴ移行してしまうことによる）を防ぐ。
【００７６】
［本発明に特有のＲＴ０の利用方法］
本発明の一実施形態において、有利区間移行時にＲＴ状態を参照することで、本発明の特有の遊技状態（ＲＴ０）であった場合の次のような特有の遊技制御を行うことができる。
【００７７】
（例１）有利区間移行時に参照した遊技状態がＲＴ０であれば「高確率移行確定（当せん率が通常よりも高くなる遊技モードへの移行が確定すること）」とし、ＲＴ０以外であった場合には高確率移行を抽せんによって決定する。このような制御を行うことにより、有利区間移行時に参照した遊技状態がＲＴ０であれば高確率遊技へ確実に移行するため、ＡＴに当せんしやすくなる。
【００７８】
（例２）有利区間移行時にＡＴ抽せんを行う遊技仕様において、有利区間移行時に参照した遊技状態がＲＴ０であれば当せん率を優遇し、ＲＴ０以外であった場合には通常抽せんとする。このような制御より、有利区間移行時に参照した遊技状態がＲＴ０であればＡＴ当せんのチャンスが増大する。
【００７９】
（例３）有利区間移行時の遊技状態によってモード移行するかどうかを決定する遊技仕様において、有利区間移行時に参照した遊技状態がＲＴ０であればリセットモードへ移行させ、ＲＴ０以外であった場合には通常抽せんとする。このような制御より、有利区間移行時に参照した遊技状態がＲＴ０であれば専用モードを前提とした自由な遊技設計が可能となる（例えば、いわゆる天井を浅く設定したり、連チャン性能を高く設定したりするなど）。
【００８０】
本発明は、これに限定されるものではないが、一実施形態として、上記（例３）に関する遊技設計例を説明する。本発明の一実施形態においては、設定変更後の専用モードとして「リセットモード」を設けることができる。このとき、設定変更後以外の遊技状態にあっては、従前の通常モード移行抽せんとなり、これらのモードには、「通常モード」「チャンスモード」「天国（モード）」といったモードを設けることができる。
ここで、通常モードは、ＡＴ確率、天井ゲーム数、平均継続数、いずれも最も冷遇されているモードであり。また、チャンスモードは、ＡＴ確率、天井ゲーム数は通常と同じだが、継続率抽せん確率は優遇されているモードである（ＡＴ当せん時の獲得期待値は通常より高い）。天国モードは、所定の天井数が設定され、かつ継続率の選択率も最も優遇されているモードである。
そして、リセットモードは、設定変更後にしか移行しないモードであり、ＡＴ確率、天井ゲーム数は通常より優遇されている。最も連チャンを期待できるモードである。
【００８１】
そして、設定変更後かそうでないかによって、モード移行抽せん時の抽せんテーブルを切り替える具体例として下表のようなテーブルを採用することができる。
【表３】
2020103699.tif 000005
【００８２】
次に、図７〜図８を参照しながら、上述した本発明の特徴的な機能を有する遊技機において好適といえる具体的な遊技スペック例及び他の実施形態を説明する。もちろん、後述する個別具体的なスペックや制御が本発明を制限してしまうというものではなく、あくまでも本発明の理解の容易のための具体例を示すものである。
【００８３】
図７（Ａ）に、本発明の一実施形態における遊技機の回転リール図柄の配置例を示す。本発明は、この図柄配置に限定されるものではないが、少なくとも図７のような図柄配置になっていることにより、上述した本発明の特徴を充分に活かした遊技状態制御が可能となる。
【００８４】
図７（Ａ）において、左端（第１列目）の数字は、インデックス番号を表わし、左から２番目の列は、第１回転リール上に付される図柄の名称を表わし、左から３番目の列は、第２回転リール上に付される図柄の名称を表わし、左から４番目の列は、第３回転リール上に付される図柄の名称を表わす。図中は、図柄の名称（「スイカ」「ベル」「ＢＡＲ」など）を付しているが、実際には、各名称に対応するデザインされた図柄が付される。
【００８５】
そして、特徴的な停止図柄に役や兆候図柄といった特定の意味を持たせ（例えば、大当たり役図柄のほか、後述するチャンス目やリーチ目などの兆候図柄）、遊技の進行をより興趣あるものにすることができる。
【００８６】
図７（Ｂ）に、本発明の一実施形態にかかる遊技機における有効ラインを示す。同図（Ｂ）において、有効ラインは、第１回転リール７０１ａ、第２回転リール７０１ｂ、第３回転リール７０１ｃのそれぞれ中段に設定されている（ちょうど横一直線になる）。
【００８７】
また、図７には図示されていないが、必要に応じていわゆる「チャンス目」と呼ばれる出目を設定することもできる。チャンス目とは、ボーナス当せん図柄やレア役図柄ではないが、全くのハズレ目という訳でもない、ボーナス等の当せんや通常区間から有利区間への移行に対する期待度が高い出目をいう。
【００８８】
さらに、図７には図示されていないが、必要に応じていわゆる「リーチ目」と呼ばれる出目を設定することもできる。リーチ目とは、通常遊技モードでの遊技中にボーナスゲームが当せんした（が、未だ当せん図柄は揃っていない）ときに表れる停止図柄（出目）のことをいい、ボーナスゲームの告知方法の一種である。
【００８９】
（本発明の他の実施形態）
以上、本発明の一実施形態における遊技機について詳細かつ多面的に説明してきたが、ここでは、図８を参照して、本発明の他の実施形態を説明する。図８は、本発明の他の実施形態にかかる遊技機の遊技状態（ＲＴ０〜ＲＴ５）の状態遷移を例示している。本発明の他の実施形態において、状態遷移８００は、遊技機の遊技状態をあらわすＲＴ０（ＳＴ８０２）〜ＲＴ５（ＳＴ８０７）までの各遊技状態を含む。一実施形態において、ＲＴ０（ＳＴ８０２）は一般中の遊技状態（通常遊技状態）、ＲＴ１（ＳＴ８０３）はＢＢ内部中の遊技状態、ＲＴ２（ＳＴ８０４）はＢＢ一般中の遊技状態、ＲＴ３（ＳＴ８０５）はＲＢ内部中の遊技状態、ＲＴ４（ＳＴ８０６）はＲＢ中の遊技状態であり（ＲＴ２〜ＲＴ４を総称してＢＢ中といもいう。）、ＲＴ５（ＳＴ８０７）は一般中の遊技状態（通常遊技状態）である。
なお、ＳＴ８０１は設定変更を行っている状態である。
【００９０】
本発明の一実施形態において、図８に示された遊技状態の具体的な遊技上の契機としては、下表のとおりである。
【表４】
2020103699.tif 000006
ここで、ＲＢはレギュラーボーナス、ＢＢはビッグボーナスを指す。なお、各種ボーナスを第１ボーナス（役）、第２ボーナス（役）、第３ボーナス（役）等として、区別することもできる。
【００９１】
図８に示された状態遷移は、次の事項を前提としている。
（１）図６に示された状態遷移（ほぼＢＢ中を遊技させる）と異なり、ＢＢ内部中（ＲＴ１）での遊技をある程度含む構成とする。
（２）上記（１）を踏まえ、（役物連続作動装置時の遊技回数＋役物連続作動装置非作動時の役物遊技回数）／（全ての遊技回転）が５割未満となるように制御する。
（３）上記（２）の結果、ボーナス中の遊技数は、全体の遊技数の半分未満に抑制される。
【００９２】
本発明の他の実施形態においては、図８に示された状態遷移制御を踏まえ、設定変更後にのみ移行するＲＴ状態（ＲＴ０）を利用し、設定変更後にのみ存在する遊技状態を作り出すことができる。例えば、設定変更後の抽せんにつき、ＲＴ０であれば抽せんを優遇したり（相対的に他の遊技状態の場合よりも高確率にする）、反対に冷遇したりする（相対的に他の遊技状態の場合よりも低確率にする）ことができる。これらの作用効果は、図６に示された状態遷移制御により奏する作用効果と遜色はない。
なお、ここでの優遇とは、他の遊技状態におけるものとは異なる有利な条件設定等を行うことをいう。
【００９３】
［さらに他のバリエーション］
本発明のさらに他の実施形態においては、次のような実施例も想定されうる。
（Ａ）通常区間と有利区間とを備え、有利区間中は指示機能に係る抽せんを実施するように制御される遊技機。
（Ｂ）ＢＢが実装され、ＢＢ中を一般中として遊技進行させるＡＴ機。
（Ｃ）設定変更後はＲＴ状態をクリアする（ＲＴ０に移行させる）ように制御する遊技機。
（Ｄ）ＢＢ終了後はＲＴ０以外に移行させるように制御する遊技機。
（Ｅ）有利区間移行時にＲＴ種別を参照し、出玉状態を変化させる遊技機。
【００９４】
以上、具体例に基づき、本発明にかかる遊技機等の実施形態を説明したが、本発明の抽せん処理及び機器制御の実施形態としては、方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【００９５】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【００９６】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【００９７】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【００９８】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【００９９】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【０１００】
１００  遊技機（スロットマシン）
１０１  筐体
１０２  前面扉
１０３  表示窓
１０５  メダル投入口
１０７  スタートレバー
１０８  １ＢＥＴボタン
１０９  精算ボタン
１１５  メダルトレイ（受皿）
４１    メイン制御基板
４２    サブ制御基板
４３    回転リールユニット
４３１  第１回転リール駆動部
４３２  第２回転リール駆動部
４３３  第３回転リール駆動部
４３４  第１回転リール位置センサ
４３５  第２回転リール位置センサ
４３６  第３回転リール位置センサ
４４    ホッパーユニット
４５４  第１回転リール停止ボタン
４５５  第２回転リール停止ボタン
４５６  第３回転リール停止ボタン
４７    電源部
【図１】
2020103699.tif 000007
【図２】
2020103699.tif 000008
【図３】
2020103699.tif 000009
【図４】
2020103699.tif 000010
【図５】
2020103699.tif 000011
【図６】
2020103699.tif 000012
【図７】
2020103699.tif 000013
【図８】
2020103699.tif 000014
【図９】
2020103699.tif 000015